(57)【要約】【課題】本発明の目的は、第１の端末が第１の通信網を介して第２の端末へかけてきた通話を、第３の端末に転送し、第１の通信網を利用しないで第２の通信網経由の通話に切り替えることができるシステムを提供することである。【解決手段】端末１００が通信網１２０を利用して端末１４０に接続要求してきた通信を検知するステップと、この通信網１２０を利用した通信を、端末１４０と予め対応づけられている端末１６０へ中継するステップと、端末１００が通信網１１０に接続されていることを確認するステップと、端末１００と端末１６０との間で、通信網１１０を利用した他の通信を確立するステップと、この他の通信が確立してから、通信網１２０を利用した通信を切ることによって、前記他の通信へ切り替えるステップとを備える通信切り替え方法。【選択図】　　　図１
2004048406.tif 000002
【特許請求の範囲】
【請求項１】
第１の端末が第１の通信網を利用して第２の端末に接続要求してきた通信を検知するステップと、
この第１の通信網を利用した通信を、前記第２の端末と予め対応づけられている第３の端末へ中継するステップと、
前記第１の端末が第２の通信網に接続されていることを確認するステップと、前記第１の端末と前記第３の端末との間で、前記第２の通信網を利用した他の通信を確立するステップと、
この他の通信が確立してから、前記第１の通信網を利用した通信を切ることによって、前記他の通信へ切り替えるステップとを備える通信切り替え方法。
【請求項２】
第１の端末が電話網を利用して電話機に通信してくるのを検知するステップと、
この電話網を利用した通信を、前記電話機と予め対応づけられている第２の端末へ中継するステップと、
前記第１の端末がインターネットに接続されていることを確認するステップと、
第１及び第２の端末の間で、前記インターネットを利用した他の通信を確立するステップと、
この他の通信が確立してから、前記電話網を利用した通信を切ることによって、前記他の通信へ切り替えるステップとを備える通信切り替え方法。
【請求項３】
第１の通信網と接続可能な転送サーバと、第１の端末と予め対応付けられており、第２の通信網と接続可能な第２の端末とを備える通信切り替えシステムであって、
前記転送サーバは、他の端末が前記第１の通信網を介して前記第１の端末に接続要求してきた通信を前記第２の端末へ中継する中継部を有し、
前記第２の端末は、
この中継された通信元である他の端末が第２の通信網と接続可能な端末であることを確認する端末管理部と、
前記他の端末と前記第１の通信網を介さずに第２の通信網経由で他の通信を確立してから、前記第１の通信網を介してきた通信を切断することによって、前記他の通信へ切り替える通信制御部とを有することを特徴とする通信切り替えシステム。
【請求項４】
電話網と接続可能な転送サーバと、電話機と予め対応付けられているインターネットと接続可能な端末とを備える通信切り替えシステムであって、
前記転送サーバは、他の端末が前記電話網を介して前記電話機にかけてきた通信を前記端末へ中継する中継部を有し、
前記端末は、
この中継された通信元である他の端末がインターネットと接続可能な端末であることを確認する端末管理部と、
前記他の端末と電話網を介さずに直接インターネット経由で他の通信を確立してから、前記電話網を介してきた通信を切断することによって、前記他の通信へ切り替える通信制御部とを有することを特徴とする通信切り替えシステム。
【請求項５】
第１の端末が第１の通信網を介して第２の端末へ接続要求してきた通信を、この第２の端末と予め対応付けられた第３の端末に中継する中継部と、
前記第１の端末が第２の通信網と接続可能な端末であることを確認する端末管理部と、
前記第１の端末と前記第１の通信網を介さずに第２の通信網経由で他の通信を確立してから、前記第１の通信網を介してきた通信を切断することによって、前記他の通信へ切り替える通信制御部とを備えることを特徴とする通信切り替えサーバ。
【請求項６】
第１の端末が電話網を介して電話機へかけてきた通信を、この電話機と予め対応付けられた端末に中継する中継部と、
前記第１の端末がインターネットと接続可能な端末であることを確認する端末管理部と、
前記第１の端末と前記電話網を介さずに直接インターネット経由で他の通信を確立してから、前記電話網を介してきた通信を切断することによって、前記他の通信へ切り替える通信制御部とを備えることを特徴とする通信切り替えサーバ。
【発明の詳細な説明】
【０００１】
【発明の属する技術分野】
本発明は、ＩＰ（Ｉｎｔｅｒｎｅｔ　Ｐｒｏｔｏｃｏｌ）電話機同士の通信方法に関し、特に、ＩＰ電話機から加入電話機（電話会社の電話回線に加入している電話機）にかかってきた通信を他のＩＰ電話機に転送し、ＩＰ電話機同士が電話回線を使用しないで通信する方法に関する。
【０００２】
【従来の技術】
ブロードバンド環境の普及に伴い、ＩＰ電話サービスも活況を呈してきており、ＶｏＩＰ（Ｖｏｉｃｅ　ｏｖｅｒ　ＩＰ）端末から加入電話網を介して加入電話機に電話をかけることも可能である（ＮＩＫＫＥＩ　ＣＯＭＭＵＮＩＣＡＴＩＯＮＳ　２００２．２．１８　Ｐ．１０２〜１２０）。
【０００３】
【発明が解決しようとする課題】
しかし、端末から電話機に接続要求が来た通信を他の端末に転送し、端末同士が電話網を利用せずにインターネット経由の通信に切り替えるということはできなかった。
【０００４】
本発明の目的は、第１の端末が第１の通信網を介して第２の端末へ接続要求してきた通信を、第３の端末に転送し、第１の端末と第３の端末とが第１の通信網を利用しないで第２の通信網経由の通信に切り替えることができるシステムを提供することである。
【０００５】
【課題を解決するための手段】
第１の発明は、第１の端末が第１の通信網を利用して第２の端末に接続要求してきた通信を検知するステップと、この第１の通信網を利用した通信を、前記第２の端末と予め対応づけられている第３の端末へ中継するステップと、前記第１の端末が第２の通信網に接続されていることを確認するステップと、前記第１の端末と前記第３の端末との間で、前記第２の通信網を利用した他の通信を確立するステップと、この他の通信が確立してから、前記第１の通信網を利用した通信を切ることによって、前記他の通信へ切り替えるステップとを備える通信切り替え方法である。
【０００６】
第２の発明は、第１の端末が電話網を利用して電話機に通信してくるのを検知するステップと、この電話網を利用した通信を、前記電話機と予め対応づけられている第２の端末へ中継するステップと、前記第１の端末がインターネットに接続されていることを確認するステップと、第１及び第２の端末の間で、前記インターネットを利用した他の通信を確立するステップと、この他の通信が確立してから、前記電話網を利用した通信を切ることによって、前記他の通信へ切り替えるステップとを備える通信切り替え方法である。
【０００７】
第３の発明は、第１の通信網と接続可能な転送サーバと、第１の端末と予め対応付けられており、第２の通信網と接続可能な第２の端末とを備える通信切り替えシステムであって、前記転送サーバは、他の端末が前記第１の通信網を介して前記第１の端末に接続要求してきた通信を前記第２の端末へ中継する中継部を有し、前記第２の端末は、この中継された通信元である他の端末が第２の通信網と接続可能な端末であることを確認する端末管理部と、前記他の端末と前記第１の通信網を介さずに第２の通信網経由で他の通信を確立してから、前記第１の通信網を介してきた通信を切断することによって、前記他の通信へ切り替える通信制御部とを有することを特徴とする通信切り替えシステムである。
【０００８】
第４の発明は、電話網と接続可能な転送サーバと、電話機と予め対応付けられているインターネットと接続可能な端末とを備える通信切り替えシステムであって、前記転送サーバは、他の端末が前記電話網を介して前記電話機にかけてきた通信を前記端末へ中継する中継部を有し、前記端末は、この中継された通信元である他の端末がインターネットと接続可能な端末であることを確認する端末管理部と、前記他の端末と電話網を介さずに直接インターネット経由で他の通信を確立してから、前記電話網を介してきた通信を切断することによって、前記他の通信へ切り替える通信制御部とを有することを特徴とする通信切り替えシステムである。
【０００９】
第５の発明は、第１の端末が第１の通信網を介して第２の端末へ接続要求してきた通信を、この第２の端末と予め対応付けられた第３の端末に中継する中継部と、前記第１の端末が第２の通信網と接続可能な端末であることを確認する端末管理部と、前記第１の端末と前記第１の通信網を介さずに第２の通信網経由で他の通信を確立してから、前記第１の通信網を介してきた通信を切断することによって、前記他の通信へ切り替える通信制御部とを備えることを特徴とする通信切り替えサーバである。
【００１０】
第６の発明は、第１の端末が電話網を介して電話機へかけてきた通信を、この電話機と予め対応付けられた端末に中継する中継部と、前記第１の端末がインターネットと接続可能な端末であることを確認する端末管理部と、前記第１の端末と前記電話網を介さずに直接インターネット経由で他の通信を確立してから、前記電話網を介してきた通信を切断することによって、前記他の通信へ切り替える通信制御部とを備えることを特徴とする通信切り替えサーバである。
【００１１】
【発明の実施の形態】
以下、本発明の実施の形態について図面を参照しながら説明する。
（第１の実施形態）
図１は、本発明の第１の実施形態に係る通信転送システムの概略図であり、ＶｏＩＰ端末から加入電話機にかけた電話を他のＶｏＩＰ端末へ転送する通信転送システムの概略図である。
【００１２】
発信元ＶｏＩＰ端末１００は、インターネット１１０及び加入電話網１２０を経由して、加入電話機１４０へ電話をかける。加入電話機１４０がアナログ着信信号を受けると共に、分岐器１３０を介して転送サーバ１５０にもアナログ着信信号が入る。
【００１３】
転送サーバ１４０では、アナログ着信信号を受け取る（すなわち、発信元ＶｏＩＰ端末１００が加入電話機１４０に接続要求してきた通信を検知する）と、予め設定された転送先ＶｏＩＰ端末１６０へインターネット１１０を介して転送する。これによって、発信元ＶｏＩＰ端末１００と転送先ＶｏＩＰ端末１６０とは、インターネット１１０及び加入電話網１２０を介して通話をすることができる。ユーザーが外出などで加入電話機１４０に出れないときであっても、予め設定しておいた転送先ＶｏＩＰ端末１６０へ転送してくれる。
【００１４】
さらに、転送先ＶｏＩＰ端末１６０では、発信元もＶｏＩＰ端末であることを確認すると、加入電話網１２０を介しての通話から、加入電話網１２０を介さずにインターネット１１０だけを介して発信元ＶｏＩＰ端末１００との直接通話へ切り替える。この通話回線の切り替え後はＩＰ通信だけで通話が行われるので、加入電話機１４０に加入電話網１２０の使用料が不要になる。尚、この切り替えは、転送先及び発信元が相互にＶｏＩＰ端末であるかを確認してから行ってもよい。
【００１５】
図２は、本実施形態に係る転送サーバ１５０及び転送先ＶｏＩＰ端末１６０の概略構成図である。
転送サーバ１５０は、加入電話網１２０とアナログ信号のやり取りを行うＡＤ／ＤＡ変換器２１０と、加入電話網１２０と転送先ＶｏＩＰ端末１６０との通信の中継をする通信中継部２２０と、転送先ＶｏＩＰ端末１６０とＩＰ通信を行う接続管理部２３０とを備える。
【００１６】
一方、転送先ＶｏＩＰ端末１６０は、他のＩＰ端末との接続を行う接続管理部３１０と、この接続管理部３１０を介して他のＩＰ端末とＩＰ通信を行うＩＰ通信部３２０と、ユーザが会話をするスピーカ３４０及びマイク３５０と、スピーカ３４０及びマイク３５０とＩＰ通信部３２０との間でアナログ／デジタル変換を行うＡＤ／ＤＡ変換器３３０とを備える。
【００１７】
まず、転送先ＶｏＩＰ端末１６０のＩＰアドレスを転送サーバ１５０が取得する手順について説明する。転送先ＶｏＩＰ端末１６０は、ＩＰｓｅｃ（ＩＰ　Ｓｅｃｕｒｉｔｙ）などのセキュリティ機能を用いて、自分のＩＰアドレスを転送サーバ１５０へ予め送っておく。これによって、転送サーバ１５０では、加入電話網１２０から電話がかかってきた場合、転送すべきＶｏＩＰ端末のＩＰアドレスが予めわかっているので、接続管理部２３０が転送先ＶｏＩＰ端末１６０とコネクションをはることができるようになる。
【００１８】
そして、加入電話網１２０からアナログ着信信号を受け取ると、ＡＤ／ＤＡ変換器２１０でデジタルデータに変換される。変換されたデータは通信中継部２２０に入る。通信中継部２２０では、転送先ＶｏＩＰ端末１６０のＩＰアドレスが上述したように予めわかっているので、接続管理部２３０へ転送先ＶｏＩＰ端末１６０とＩＰ接続するように指示を出す。
【００１９】
指示を受けた接続管理部２３０では、転送先ＶｏＩＰ端末１６０の接続管理部３１０と相互に相手認証を行い、また、ＩＰｓｅｃによるセキュアな通信路を通話用及びコントロール用に確保する。そして、転送先ＶｏＩＰ端末１６０の方で電話に出ると、通信中継部２２０は、加入電話網１２０を介して、発信元ＶｏＩＰ端末１００と転送先ＶｏＩＰ端末１６０との通話を中継する。
【００２０】
（加入電話網を介した通話から直接通話への切り替え）
次に、加入電話網１２０を介さないで、発信元ＶｏＩＰ端末１００と転送先ＶｏＩＰ端末１６０とが直接通話する切り替え動作について説明する。
発信元ＶｏＩＰ端末１００は、通信中継部２２０が中継を開始すると、自分の端末データを転送先ＶｏＩＰ端末１６０の端末データ管理部３６０へ送る。この端末データはアナログデータとして音声データに挿入してＩＰ電話部３２０を介して端末データ管理部３６０へ送られてくる。端末データとしては、公開鍵暗号方式の公開鍵（直接通信への切り替えのための接続固有ＩＤ（識別番号）を送るために利用）、ＩＰ設定情報（ＩＰアドレスなどＩＰ接続に必要な情報、例えば、対応しているＶｏＩＰの方式）を送ればよい。
【００２１】
ここで、端末データは音声データに挿入されているので、ユーザにはＩＰ電話部３２０、ＡＤ／ＤＡ変換器３３０及びスピーカ３４０を介してビープ音などのノイズとして聞こえてしまう。そこで、ノイズをユーザが感知できないようにするためには、音声のＷａｔｅｒＭａｒｋ（電子透かし）技術を利用して端末データを挿入すればよい。
【００２２】
一方、端末データ管理部３６０では自分の端末データを発信元ＶｏＩＰ端末１００へ送る。このようにして端末データを相互に送ることによって、加入電話網１２０を介さずに、直接通話へ切り替えることができる。
【００２３】
図３は、加入電話網１２０を利用しない直接通信への切り替え方法のフローチャートである。まず、発信元ＶｏＩＰ端末１００から、発信元の端末データ及び公開鍵を加入電話網１２０を介して転送先ＶｏＩＰ端末１６０へ送る（Ｓｔｅｐ１）。一方、転送先ＶｏＩＰ端末１６０は、発信元の端末データを受け取り、発信元がＶｏＩＰ端末であることを確認すると、転送先の端末データ及び公開鍵を加入電話網１２０を介して発信元ＶｏＩＰ端末１００へ送る（Ｓｔｅｐ２）。この段階ではじめて、発信元ＶｏＩＰ端末１００は、現在通話している相手が利用しているものが加入電話機１４０ではなく、転送先ＶｏＩＰ端末１６０であることを認識できる。
【００２４】
次に、発信元ＶｏＩＰ端末１００は加入電話網１２０を介さないで、転送先ＶｏＩＰ端末１６０と直接ＩＰ通信することを試みる。発信元ＶｏＩＰ端末１００は接続固有ＩＤを生成し、これを転送先の公開鍵で暗号化したものを加入電話網１２０を介して、転送先ＶｏＩＰ端末１６０へ送る（Ｓｔｅｐ３）。ここで、接続固有ＩＤは乱数などを用いて接続毎に固有なものにする。
【００２５】
転送先ＶｏＩＰ端末１６０では、転送先の公開鍵で暗号化された接続固有ＩＤを転送先の秘密鍵で解読する。そして、解読した接続固有ＩＤを発信元の公開鍵で暗号化したものを、発信元ＶｏＩＰ端末１００へ送る（Ｓｔｅｐ４）。この発信元ＶｏＩＰ端末１００へ送る時には、転送先ＶｏＩＰ端末１６０の接続管理部３１０がインターネット１１０とコネクションをはってから、加入電話網１２０を介さないで直接ＩＰ通信を利用する。
【００２６】
発信元ＶｏＩＰ端末１００は、発信元の公開鍵で暗号化された接続固有ＩＤを発信元の秘密鍵で解読する。そして、解読した接続固有ＩＤが、転送先へ暗号化して送った接続固有ＩＤと同じであるか確認する（Ｓｔｅｐ５）。
【００２７】
同じである場合には、この接続固有ＩＤを用いて、発信元ＶｏＩＰ端末１００は加入電話網１２０を介さずに、転送先ＶｏＩＰ端末１６０と直接通話を行うための新規のコネクション確立を行う（Ｓｔｅｐ６）。
【００２８】
新規コネクション確立が済むと、発信元ＶｏＩＰ端末１００及び転送先ＶｏＩＰ端末１６０は共に接続固有ＩＤを備えているので、加入電話網１２０を利用した旧コネクションを切断する（Ｓｔｅｐ７）。そして、新規コネクションでの通話を行う（Ｓｔｅｐ　８）。この一連の動作は、すべてＶｏＩＰ端末同士が行うので、ユーザは面倒な切り替え動作をすることがなく、加入電話網１２０の利用を止めることができ、加入電話網１２０の使用料が不要になる。しかも、接続固有ＩＤは、なりすましの防止のために利用できる。
【００２９】
（第２実施形態）
第１の実施形態で説明した転送サーバ１５０がホームサーバであって、転送先の端末がＰＤＡ（Ｐｅｒｓｏｎａｌ　Ｄｉｇｉｔａｌ　Ａｓｓｉｓｔａｎｔ）などのＶｏＩＰ端末であれば、第１の実施形態で説明した通信転送システムが家庭内でもそのまま使える。しかし、転送先の端末が加入電話向けの電話専用機（ＶｏＩＰに対応していないもの）である場合には、第１の実施形態は適用できない。以下では、転送先の端末が電話専用機である場合であっても、加入電話網を利用しないように切り替える通信転送システムについて説明する。
【００３０】
図４は、本発明の第２の実施形態に係る通信転送システムの概略図であり、ＶｏＩＰ端末から加入電話機にかけた電話を他の電話専用機へ転送する通信転送システムの概略図である。図１と異なる点は、電話専用機４６０はインターネット１１０とは接続されておらず、回線切り替え後のＩＰ通信は転送サーバ４５０経由で行う点である。
【００３１】
図５は、第２の実施形態に係る転送サーバ４５０及び電話専用機４６０の概略構成図である。図２と異なる点は、電話専用機４６０は、転送サーバから受け取ったアナログデータを送受する送受信機６２０と、マイク３４０と、スピーカ３５０とを備えている。そして、インターネット１１０と接続を管理する接続管理部２３０と、この接続管理部２３０を介して他のＩＰ端末とＩＰ通信を行うＩＰ通信部５２０と、発信元ＶｏＩＰ端末１００との直接通信を制御する直接通信制御部５７０と、自らの端末データ及び発信元の端末データを管理する端末データ管理部５６０と、ＩＰ通信部５２０からのデータをアナログ変換するＡＤ／ＤＡ変換器５３０と、アナログ変換されたデータを電話専用機４６０へ送信する送受信部６１０とは、転送サーバ４５０が備えている。このように構成された転送サーバ４５０は、第１の実施形態と同様に、加入電話網１２０を介して行っていた通話を加入電話網１２０を介さない直接通話に切り替えることができる。尚、本実施形態は家庭内での利用を前提としているが、オフィス内でも同様に実施できることはいうまでもない。
【００３２】
上述した実施の形態は、本発明の好適な具体例であるから、技術的に好ましい種々の限定が付されているが、本発明の趣旨を逸脱しない範囲であれば、適宜組合わせ及び変更することができることはいうまでもない。例えば、発信側ＶｏＩＰ端末１００としては、着信側同様に、転送サーバを介して加入電話網へ接続してもよい。この場合、回線切り替え後は、発信側の転送サーバを経由しない直接ＩＰ通信になる。また、ＶｏＩＰ端末は、ＩＰｖ４（Ｉｎｔｅｒｎｅｔ　Ｐｒｏｔｏｃｏｌ　ｖｅｒｓｉｏｎ　４）、ＩＰｖ６いずれに対応していてもよい。
【００３３】
【発明の効果】
上述したように本発明によれば、第１の端末が第１の通信網を介して第２の端末へ接続要求してきた通信を、第３の端末に転送し、第１の端末と第３の端末とが第１の通信網を利用しないで第２の通信網経由の通信に切り替えることができるシステムを提供することである。
【図面の簡単な説明】
【図１】本発明の第１の実施形態に係る通信転送システムの概略図。
【図２】第１の実施形態に係る転送サーバ及び転送先ＶｏＩＰ端末の概略構成図。
【図３】加入電話網１２０を利用しない直接通信への切り替え方法のフローチャート。
【図４】本発明の第１の実施形態に係る通信転送システムの概略図。
【図５】第２の実施形態に係る転送サーバ及び電話専用機の概略構成図。
【符号の説明】
１００　発信元ＶｏＩＰ端末
１１０　インターネット
１２０　加入電話網
１３０　分岐器
１４０　加入電話機
１５０，４５０　転送サーバ
１６０　転送先ＶｏＩＰ端末
２１０，３３０，５３０　ＡＤ／ＤＡ変換器
２２０　通信中継部
２３０，３１０　接続管理部
３２０，５２０　ＩＰ通信部
３４０　スピーカ
３５０　マイク
３６０，５６０　端末データ管理部
３７０，５７０　直接通信制御部
４６０　電話専用機
６１０，６２０　送受信機
【図１】
2004048406.tif 000003
【図２】
2004048406.tif 000004
【図３】
2004048406.tif 000005
【図４】
2004048406.tif 000006
【図５】
2004048406.tif 000007